(57)【要約】【課題】基台上に取り外し可能にネジ留め固定される支持軸によりマネキンを支持するマネキン支持装置において、上記ネジ留め固定用のネジが緩んだ場合でも、マネキン支持軸が基台から容易に抜けることがなく、且つネジが緩んだ状態においてもある程度の支持強度を維持することのできる技術を提供する。【解決手段】基台に対して立設固定されるマネキン支持装置であって、基台に対してネジ留め固定される内周ネジ部が内周面に形成され、上端部に円周ネジ部の内径よりも小径の貫通孔部が形成された筒状のナット部材と、ナット部材に内装されてナット部材の貫通孔部の周りに係合する非挿通軸部から該貫通孔部を貫通して上方に支出される貫通軸部によりマネキンを支持するマネキン支持軸と、を有し、ナット部材を基台に対して締め付けることにより、マネキン支持軸を基台に対して係合固定する。【選択図】図４
2011115278.tif 000002
【特許請求の範囲】
【請求項１】
基台に対して立設固定されるマネキン支持装置であって、
前記基台に対してネジ留め固定される内周ネジ部が内周面に形成され、上端部に前記円周ネジ部の内径よりも小径の貫通孔部が形成された筒状のナット部材と、
前記ナット部材に内装されて前記ナット部材の貫通孔部の周りに係合する非挿通軸部から該貫通孔部を貫通して上方に支出される貫通軸部によりマネキンを支持するマネキン支持軸と、を有し、
前記ナット部材を前記基台に対して締め付けることにより、前記マネキン支持軸を前記基台に対して係合固定することを特徴とするマネキン支持装置。
【請求項２】
請求項１に記載のマネキン支持装置において、
前記基台に一体的に設けられ前記ナット部材の前記内周ネジ部と螺合する雄ネジ部をさらに備えるマネキン支持装置。
【請求項３】
請求項１に記載のマネキン支持装置において、
前記マネキン支持軸は、前記貫通軸部と前記貫通軸部よりも太い非挿通軸部とを有する段付き棒形状となっているマネキン支持装置。
【請求項４】
請求項１に記載のマネキン支持装置において、
前記貫通軸部から張り出す前記非挿通軸部の上端面は水平方向と略平行な平面部分を有し、
前記ナット部材は、上端から水平方向内側に延出するフランジ部により前記貫通孔部を形成しており、
前記ナット部材を前記基台に対して締め付けることにより、前記フランジ部の下面が前記非挿通軸部の上端面に面接触して前記非挿通軸部を前記基台側に押圧して固定するマネキン支持装置。
【請求項５】
請求項２に記載のマネキン支持装置において、
前記マネキン支持軸の非挿通軸部の下部には、凸部および凹部の内のいずれか一方からなる係合部が設けられており、
前記雄ネジ部の上部には、凸部および凹部の内のいずれか他方からなる被係合部が設けられており、
前記ナット部材を前記雄ネジ部に対して締め付けた状態において、前記係合部と前記被係合部とが鉛直方向軸を回転軸とする相対回転不能となるように係合するマネキン用支持装置。
【請求項６】
請求項２に記載のマネキン支持装置において、
前記マネキン支持軸の非挿通軸部の下部には、雄ネジおよび雌ネジの内のいずれか一方からなる螺合部が設けられており、
前記雄ネジ部の上部には、雄ネジおよび雌ネジの内のいずれか他方からなる被螺合部が設けられており、
前記ナット部材を前記雄ネジ部に対して締め付けた状態において、前記螺合部と前記被螺合部とが螺合可能であるマネキン用支持装置。
【請求項７】
請求項１乃至６のいずれか１項に記載のマネキン支持装置において、
前記マネキン支持軸における前記貫通軸部は、その長手方向と直交する平面における断面が多角形状に形成されているマネキン支持装置。
【発明の詳細な説明】
【技術分野】
【０００１】
本発明は、基台上に取り外し可能にネジ留め固定されるマネキン支持軸によりマネキンを支持するマネキン支持装置に関し、特に、上記ネジ留め固定用のネジが緩んだ場合でも、マネキン支持軸が基台から抜けることを抑制することのできるマネキン支持装置に関する。
【背景技術】
【０００２】
従来、金属板やガラス板等からなる基台上にマネキンを支持するためのマネキン支持装置が知られている。
【０００３】
例えば、基台上に形成された雌ネジ部に対して、マネキンを支持するための支持軸先端に形成された雄ネジ部を螺合させることにより、当該支持軸を基台上に立設固定する構成のマネキン支持装置が知られている。
【０００４】
上記従来のマネキン支持装置では、支持軸は当該支持軸先端に形成されているネジのみによって支持されており、当該支持軸の基台に対する支持強度および安定性は当該ネジ留めに依存している。したがって、上記従来のマネキン支持装置では、基台へのネジ留め時に強くネジ留めしたとしても、マネキンへの衣服の着せ替え等によって繰り返し外力が加わると、支持軸の基台に対するネジ留めは徐々に緩んでゆき、ついには基台から抜けてしまうおそれがある。
【０００５】
このような支持軸の基台からの抜けを防止するために、基台に固定された固定軸に逆Ｌ字状の鉤部を設け、支持軸の基端にＬ字状の鉤部を設け、これら鉤部を互いに係合させた状態で、これら鉤部の外周面を筒状の部材によって支持するマネキン支持装置が開示されている（例えば、特許文献１を参照）。
【先行技術文献】
【特許文献】
【０００６】
【特許文献１】特開２００８−２９５７３０号
【発明の概要】
【発明が解決しようとする課題】
【０００７】
上述した特許文献１に記載のマネキン支持装置では、固定軸の逆Ｌ字状の鉤部と、支持軸のＬ字状の鉤部とを互いに係合させることで、支持軸の抜けを防止する構成となっており、当該マネキン支持装置の基台からの抜けを防止する機能は、当該鉤部の強度に依存している。しかしながら、当該鉤部は、マネキン支持装置全体としての美観を極力損なわないようにする観点から、Ｌ字部分をあまり太くすることはできず、結果として極めて強度の低い部位となってしまう。特に、マネキン支持装置には、マネキンへの衣服の着せ替え等によって繰り返し荷重が加わるため、当該鉤部の屈折部位を起点として疲労破壊等が発生するおそれもある。
【０００８】
さらに、特許文献１に示すようなＬ字状もしくは逆Ｌ字状の鉤部は、その形状の複雑さゆえに、製造コストも高いという問題もある。
【０００９】
本発明は上述した問題点を解決するためになされたものであり、基台上に取り外し可能にネジ留め固定される支持軸によりマネキンを支持するマネキン支持装置において、上記ネジ留め固定用のネジが緩んだ場合でも、マネキン支持軸が基台から容易に抜けることがなく、且つネジが緩んだ状態においてもある程度の支持強度を維持することのできる技術を提供することを目的とする。
【課題を解決するための手段】
【００１０】
上記課題を解決するため、本発明の一態様は、基台に対して立設固定されるマネキン支持装置であって、前記基台に対してネジ留め固定される内周ネジ部が内周面に形成され、上端部に前記円周ネジ部の内径よりも小径の貫通孔部が形成された筒状のナット部材と、前記ナット部材に内装されて前記ナット部材の貫通孔部の周りに係合する非挿通軸部から該貫通孔部を貫通して上方に支出される貫通軸部によりマネキンを支持するマネキン支持軸と、を有し、前記ナット部材を前記基台に対して締め付けることにより、前記マネキン支持軸を前記基台に対して係合固定することを特徴とするマネキン支持装置に関する。
【００１１】
また、上述のような構成のマネキン支持装置において、前記基台に一体的に設けられ前記ナット部材の前記内周ネジ部と螺合する雄ネジ部をさらに備えることを特徴とすることができる。
【００１２】
また、上述のような構成のマネキン支持装置において、前記マネキン支持軸は、前記貫通軸部と前記貫通軸部よりも太い非挿通軸部とを有する段付き棒形状となっていることを特徴とすることができる。
【００１３】
また、上述のような構成のマネキン支持装置において、前記貫通軸部から張り出す前記非挿通軸部の上端面は水平方向と略平行な平面部分を有し、前記ナット部材は、上端から水平方向内側に延出するフランジ部により前記貫通孔部を形成しており、前記ナット部材を前記基台に対して締め付けることにより、前記フランジ部の下面が前記非挿通軸部の上端面に面接触して前記非挿通軸部を前記基台側に押圧して固定することを特徴とすることができる。
【００１４】
また、上述のような構成のマネキン支持装置において、前記マネキン支持軸の非挿通軸部の下部には、凸部および凹部の内のいずれか一方からなる係合部が設けられており、前記雄ネジ部の上部には、凸部および凹部の内のいずれか他方からなる被係合部が設けられており、前記ナット部材を前記雄ネジ部に対して締め付けた状態において、前記係合部と前記被係合部とが鉛直方向軸を回転軸とする相対回転不能となるように係合することを特徴とすることができる。
【００１５】
また、上述のような構成のマネキン支持装置において、前記マネキン支持軸の非挿通軸部の下部には、雄ネジおよび雌ネジの内のいずれか一方からなる螺合部が設けられており、前記雄ネジ部の上部には、雄ネジおよび雌ネジの内のいずれか他方からなる被螺合部が設けられており、前記ナット部材を前記雄ネジ部に対して締め付けた状態において、前記螺合部と前記被螺合部とが螺合可能であることを特徴とすることができる。
【００１６】
また、上述のような構成のマネキン支持装置において、前記マネキン支持軸における前記貫通軸部は、その長手方向と直交する平面における断面が多角形状に形成されていることを特徴とすることができる。
【発明の効果】
【００１７】
以上に詳述したように、本発明によれば、基台上に取り外し可能にネジ留め固定される支持軸によりマネキンを支持するマネキン支持装置において、上記ネジ留め固定用のネジが緩んだ場合でも、マネキン支持軸が基台から容易に抜けることがなく、且つネジが緩んだ状態においてもある程度の支持強度を維持することのできる技術を提供することができる。
【図面の簡単な説明】
【００１８】
【図１】図１は、本発明の第１の実施の形態によるマネキン支持装置１の組み立て状態を示す外観斜視図である。
【図２】図２は、本発明の第１の実施の形態によるマネキン支持装置１の組み立て状態において、後述するナット部材１１３を、中心軸（図２に示す一点鎖線）を中心とする９０度の範囲だけ切り欠いた状態を示す内部説明図である。
【図３】図３は、本発明の第１の実施の形態によるマネキン支持装置１の部品構成について説明するための分解斜視図である。
【図４】図４は、本発明の第１の実施の形態によるマネキン支持装置１を構成する各部品の関係について説明するための縦断面図である。
【図５】図５は、本発明の第１の実施の形態によるマネキン支持装置１の使用状態について説明するための縦断面図である。
【図６】図６は、本発明の第２の実施の形態によるマネキン支持装置１’の部品構成について説明するための分解斜視図である。
【図７】図７は、本発明の第２の実施の形態によるマネキン支持装置１’を構成する各部品の関係について説明するための縦断面図である。
【図８】図８は、 本発明の第２の実施の形態によるマネキン支持装置１’の使用状態について説明するための縦断面図である。
【図９】図９は、雄ネジ部を、固定部材を介して基台に固定する構成を例示する図である。
【発明を実施するための形態】
【００１９】
以下、本発明の実施の形態について図面を参照しつつ説明する。
【００２０】
（第１の実施の形態）
まず、本発明の第１の実施の形態について説明する。
【００２１】
図１は、本発明の第１の実施の形態によるマネキン支持装置１の組み立て状態を示す外観斜視図である。図２は、本発明の第１の実施の形態によるマネキン支持装置１の組み立て状態において、後述するナット部材１１３を、中心軸（図２に示す一点鎖線）を中心とする９０度の範囲だけ切り欠いた状態を示す内部説明図である。図３は、本発明の第１の実施の形態によるマネキン支持装置１の部品構成について説明するための分解斜視図である。図４は、本発明の第１の実施の形態によるマネキン支持装置１を構成する各部品の関係について説明するための縦断面図である。図５は、本発明の第１の実施の形態によるマネキン支持装置１の使用状態について説明するための縦断面図である。なお図５では、説明の便宜上、支持対象であるマネキンを実際よりも小さいサイズで図示している。以下、図中に示すＸ軸、Ｙ軸およびＺ軸は、互いに直交する軸である。
【００２２】
本実施の形態によるマネキン支持装置１は、例えば衣料品を販売する店舗等において利用されるものである。マネキン支持装置１は、金属、強化ガラス、石、強化プラスチック、木等の様々な材料から形成される基台１１６（図５を参照）に対して着脱可能に立設固定される。マネキン支持装置１は、マネキン本体の足裏、ふくらはぎ、太もも、胴部、背中、頭部等を支持することによって、マネキン本体を基台上に支持する。
【００２３】
図１および図２に示すように、本実施の形態によるマネキン支持装置１は、例えば、マネキン支持軸１００（貫通軸部１１１、非挿通軸部１１２）、ナット部材１１３および雄ネジ部１１４を備えている。
【００２４】
以下、本実施の形態によるマネキン支持装置１の各構成要素について詳細に説明する。ここでは、各構成要素が使用状態（図１および図２を参照）であるときの姿勢を基準として説明を行う。
【００２５】
マネキン支持軸１００は、貫通軸部１１１と、貫通軸部１１１の下部に連結される非挿通軸部１１２とから構成されている。貫通軸部１１１と非挿通軸部１１２とは、少なくともマネキン支持装置１の使用時においては、連結された一体構造となっている。
【００２６】
マネキン支持軸１００の上部に位置する貫通軸部１１１は、その上部にマネキン保持部１１５を着脱可能な角柱形状の部材であり、その下部には雄ネジ１１１Ｍが形成されている（図２および図４を参照）。なお、ここでの貫通軸部１１１の水平面における断面形状は、一例として、八角形に形成されている。
【００２７】
マネキン支持軸１００の下部に位置する非挿通軸部１１２は、円柱形状に形成されている。非挿通軸部１１２の上部には、雌ネジ１１２Ｆが形成されている。本実施の形態では、雌ネジ１１２Ｆに、貫通軸部１１１の雄ネジ１１１Ｍを螺合させることにより、貫通軸部１１１と非挿通軸部１１２とが一体的に連結されている。なお、締結させた状態の貫通軸部１１１と非挿通軸部１１２との継ぎ目に溶接処理やメッキ処理等を施すことにより、雌ネジ１１２Ｆと雄ネジ１１１Ｍとのネジ留めが緩むことを防止するようにしてもよい。
【００２８】
なお、マネキン支持軸１００は、全体として上部が下部よりも細い段付き棒形状となっている。具体的には、非挿通軸部１１２の外径ｄ３は、貫通軸部１１１の外径（外接円径）ｄ１よりも大きくなるように形成されている。
【００２９】
また、貫通軸部１１１と非挿通軸部１１２の境界位置に段が形成されることにより、当該境界位置では、貫通軸部１１１の外周面から、非挿通軸部１１２の上端面１１２Ｕが水平方向（ｘ−ｙ平面）と略平行に平面状に張り出している。非挿通軸部１１２の下部には、雄ネジからなる螺合部１１２Ｒが設けられている（図４を参照）。
【００３０】
ナット部材１１３は、筒状の部材であり、その上部には水平方向内側（中心軸側）に延出するフランジ部１１３ａが延設されており、フランジ部１１３ａにより貫通孔部１１３Ｋが形成されている。フランジ部１１３ａの上面（ナット部材１１３）は、中心軸から外側に向かうにつれて下方へ向かう傾斜面に形成されている。また、ナット部材１１３の下部の内周面には、内周ネジ部１１３Ｆが形成されている。ここでのナット部材１１３の貫通孔部１１３Ｋの内径ｄ２は、貫通軸部１１１の外接円径ｄ１よりも大きく形成されている。また、内周ネジ部１１３Ｆの内径ｄ４は、非挿通軸部１１２の外径ｄ３よりも大きい。
【００３１】
貫通孔部１１３Ｋの内径ｄ２は、非挿通軸部１１２の外径ｄ３および内周ネジ部１１３Ｆの内径ｄ４よりも小径である。ナット部材１１３の内周ネジ部１１３Ｆは、基台１１６に固定された雄ネジ部１１４の外周ネジ部１１４Ｍに対してネジ留め固定（螺合）される。
【００３２】
雄ネジ部１１４は、その外周に雄ネジである外周ネジ部１１４Ｍが形成されている。また、雄ネジ部１１４は、下面に突起部１１４Ｔが形成されており、突起部１１４Ｔを当該突起部１１４Ｔに対応する穴が形成された基台１１６に嵌め込むことで、雄ネジ部１１４の基台１１６に対する大まかな位置決めが可能となっている。そして、雄ネジ部１１４は、基台１１６に対して、例えば、ネジ留め、溶接、接着、焼き嵌め等の種々の接合手段を用いて固定される。雄ネジ部１１４の上部には、被螺合部１１４Ｈが形成されている。被螺合部１１４Ｈには、非挿通軸部１１２の螺合部１１２Ｒを螺合させることができる。
【００３３】
このように、本実施の形態では、
外径ｄ１＜内径ｄ２＜外径ｄ３＜内径ｄ４
の関係を満たす構成となっている。
【００３４】
上述のような構成を有するマネキン支持装置の各構成要素を、組み立てた状態（使用状態）について説明する。本実施の形態によるマネキン支持装置は、図３〜図５に示すような位置関係にて組み立てられる。
【００３５】
まず、非挿通軸部１１２と一体的に接合されている貫通軸部１１１を、ナット部材１１３の貫通孔部１１３Ｋに挿通させる。そして、貫通軸部１１１を貫通孔部１１３Ｋに挿通させ且つ非挿通軸部１１２をナット部材１１３内に収容した状態で、ナット部材１１３における内周ネジ部１１３Ｆを雄ネジ部１１４の外周ネジ部１１４Ｍに螺合させる（図５）。
【００３６】
図５に示す組み立て状態において、非挿通軸部１１２の上端面１１２Ｕは、ナット部材１１３のフランジ部１１３ａの下面１１３Ｌと面接触し、ナット部材１１３における内周ネジ部１１３Ｆと雄ネジ部１１４の外周ネジ部１１４Ｍとの螺合により、非挿通軸部１１２の上端面１１２Ｕを雄ネジ部１１４側に向けて押圧固定される。また、非挿通軸部１１２の上端面１１２Ｕ（平面）とフランジ部１１３ａの下面１１３Ｌ（平面）とを広範囲に亘って面接触させる構成とすることにより、ナット部材１１３によるネジ留め固定時に、下面１１３Ｌと上端面１１２Ｕとの間に強い摩擦力が働き、非挿通軸部１１２の雄ネジ部１１４に対する相対的回転や、非挿通軸部１１２のナット部材１１３に対する相対回転を抑制することができる。
【００３７】
このようにして組み立てられた状態において、貫通軸部１１１は、貫通孔部１１３Ｋを通って上方に支出された状態となる。
【００３８】
本実施の形態によるマネキン支持装置１にてマネキン２を支持する際には、上記のように上方に支出される貫通軸部１１１を覆うように、延設部１１８を備えるマネキン保持部１１５が貫通軸部１１１に被せられる。貫通軸部１１１に被せられたマネキン保持部１１５は、貫通軸部１１１に固定するために、マネキン保持部１１５の側面に備わる固定用の締め付け機構１１７（締め付けネジ）により締め付けられる。
【００３９】
また、本実施の形態による構成では、ナット部材１１３の雄ネジ部１１４への締め付け力を利用して、マネキン支持軸１００を基台に対して固定支持しながら、さらに被螺合部１１４Ｈに非挿通軸部１１２の螺合部１１２Ｒを螺合させることによっても、非挿通軸部１１２の雄ネジ部１１４に対する支持を行うことができる。このような構成によれば、例えば、ナット部材１１３が緩んでマネキン支持軸１００の固定が緩んだ場合でも、通常足元の高さにあるナット部材１１３をしゃがんで締め直すという面倒な作業を行うことなく、立ったままでマネキン（マネキン支持軸１００）を例えばＲ方向（図５を参照）に回転させることにより、簡単にマネキン支持軸１００の固定を応急処置的に行うことができる。
【００４０】
また、貫通軸部１１１の周囲にあたる非挿通軸部１１２の上端面１１２Ｕに、フランジ部１１３ａの下面１１３Ｌが円環状の比較的広い面積で面接触して非挿通軸部１１２の支持を行う構成とすることにより、マネキン取り付け時等に図５に示す方向Ｆのような外力が加わる場合でも、当該外力を上記円環状の比較的広い面積の当接面によって分散して受け止めることができ、ガタのない安定的なマネキンの支持を実現することができる。
【００４１】
なお、本実施の形態では、非挿通軸部１１２の上端面１１２Ｕを、フランジ部１１３ａの下面１１３Ｌによって押圧して固定支持する構成を例示したが、これに限られるものではなく、フランジ部１１３ａの下面を斜面や曲面とし、当該斜面や曲面によって非挿通軸部１１２を押圧支持することもできる。もちろん、フランジ部１１３ａの下面だけでなく、ナット部材１１３の内側の側壁によって非挿通軸部１１２を押圧支持することもできる。
【００４２】
また、本実施の形態によれば、支持軸の端部に設けられたネジによって基台にネジ留め固定する従来の構成に比べ、当該支持軸の外周を包囲する筒状部材によって基台側にネジ留め固定するため、支持軸を支持する部位における断面積は従来構成に比べて大幅に広くなる。このように従来構成に比べて広い断面積を有する形状のナット部材によって支持軸を支持する構成とすることにより、支持強度、疲労強度、ネジの緩みを抑制する性能の大幅な向上に寄与することができる。
【００４３】
（第２の実施の形態）
続いて、本発明の第２の実施の形態について説明する。
【００４４】
本発明の第２の実施の形態は、上述した第１の実施の形態の変形例である。以下、本実施の形態において、第１の実施の形態にてすでに説明した部分と同様な機能を有する部分については同一符号を付し、説明は省略する。
【００４５】
図６は、本発明の第２の実施の形態によるマネキン支持装置１’の部品構成について説明するための分解斜視図である。図７は、本発明の第２の実施の形態によるマネキン支持装置１’を構成する各部品の関係について説明するための縦断面図である。図８は、本発明の第２の実施の形態によるマネキン支持装置１’の使用状態について説明するための縦断面図である。なお、本発明の第２の実施の形態によるマネキン支持装置１’の組み立て状態を示す外観斜視図については、図１で示した外観と同様であるため省略する。
【００４６】
図６に示すように、本実施の形態によるマネキン支持装置１’は、貫通軸部１１１と、非挿通軸部２１２と、ナット部材１１３と、雄ネジ部２１４とを備えている。
【００４７】
本発明の第２の実施の形態における非挿通軸部２１２および雄ネジ部２１４の構成は、第１の実施の形態と異なっている。ここで、マネキン支持軸１００’は、貫通軸部１１１及び非挿通軸部２１２から成る。
【００４８】
本実施の形態における非挿通軸部２１２の下部（下側）には係合部２１２Ｋが形成されている。本実施の形態では、係合部２１２Ｋとして凹部が形成されているが、係合部２１２Ｋとして凸部を採用することもできる。
【００４９】
雄ネジ部２１４は、その上部（上側）に被係合部２１４Ｈが形成されており、上記非挿通軸部２１２の係合部２１２Ｋと係合されるように構成されている。本実施の形態では、被係合部２１４Ｈとして凸部が形成されているが、他の実施の形態として上記非挿通軸部１１２の下部（下側）に形成された凸部と係合されるために、被係合部２１４Ｈとして凹部が形成されてもよい。雄ネジ部１１４の外周側面には、ナット部材１１３の内周ネジ部１１３Ｆと螺合されるための外周ネジ部２１４Ｍが刻設されている。
【００５０】
次に本実施の形態の各構成要素の機能について説明する。
【００５１】
非挿通軸部２１２の下部（下側）に形成される係合部２１２Ｋと、雄ネジ部２１４の上部（上側）に形成される被係合部２１４Ｈが係合されると、例えば、非挿通軸部２１２に固定された貫通軸部１１１を回転させようとしても、上記係合により、係合部２１２Ｋと被係合部２１４Ｈとが鉛直方向軸を回転軸とする相対回転不能となり回転が防止される。これにより、マネキン本体２を直接的または間接的にマネキン支持軸１００’によって支持する際に、マネキン本体２に力が加わっても、マネキン支持軸１００’が雄ネジ部２１４に対して回転してしまうことを防止することができる。
【００５２】
貫通軸部１１１及び非挿通軸部２１２から成るマネキン支持軸１００’は、基台１１６上に固定された雄ネジ部２１４に係合した状態で、貫通軸部１１１をナット部材１１３の貫通孔部１１３Ｋから挿通させ、ナット部材１１３を雄ネジ部２１４に取り付けることにより、基台１１６に対して立設固定される。図８では、貫通軸部１１１にネジ留め固定されたマネキン保持部１１５の延設部１１８によりマネキン２を支持している状態を示している。
【００５３】
このように、本発明の第２の実施の形態によれば、貫通軸部１１１及び非挿通軸部２１２から成るマネキン支持軸１００’の回転を防止し、従って、マネキン支持装置１の回転を防止するという効果を奏することができる。
【００５４】
本発明の第２の実施の形態では、非挿通軸部２１２の下部に凹部を形成し、雄ネジ部２１４の上部に凸部を形成する構成を例示したが、必ずしもこれに限られるものではない。すなわち、非挿通軸部２１２と雄ネジ部２１４との間での相対回転を規制することができればよく、例えば、非挿通軸部２１２の下部に凸部を形成し、雄ネジ部２１４の上部に凹部を形成する構成とすることもできるし、他の係合方式の構成を採用することもできる。
【００５５】
また、上述した各実施の形態では、雄ネジ部を基台に直接固定する構成を例示したが、必ずしもこれに限られるものではない。例えば、図９に示すように、雄ネジ部を十文字形状に形成された固定部材１１４Ｇを介して基台１１６に固定する構成を採用することもできる。このように、雄ネジ部１１４よりも広範囲に広がる固定部材１１４Ｇによって基台１１６に固定することにより、マネキン支持装置全体としての支持強度を向上させることができる。ここでは、固定部材１１４Ｇは、ボルト１１４ｐにより、基台１１６に固定されている構成を例示しているが、例えば、固定部材１１４Ｇを基台１１６に対して溶接したり、接着したりする構成としてもよい。
【００５６】
また、上述した各実施の形態では、切削加工等の成形作業の容易さの観点から、貫通軸部１１１と非挿通軸部１１２とを、貫通軸部１１１の雄ネジ１１１Ｍと非挿通軸部１１２の雌ネジ１１２Ｆとを螺合させることによって結合しているが、必ずしもこれに限られるものではない。貫通軸部１１１と非挿通軸部１１２の結合方法としては、例えば、貫通軸部１１１と非挿通軸部１１２とを溶接したり、接着したりしてもよいし、貫通軸部１１１と非挿通軸部１１２とを樹脂成型等により一体的に形成する方法を採用することもできる。
【００５７】
また、上述の各実施の形態では、貫通軸部１１１がその長手方向と直交する平面における断面形状が八角形となっている構成を例示したが、必ずしもこれに限定されるものではない。例えば、貫通軸部１１１の断面形状を、四角形、六角形、十二角形などとすることもできることは言うまでもない。このように多角形状の断面形状を有する貫通軸部１１１を採用することにより、マネキン保持部１１５を貫通軸部１１１に被せてネジ留めした際に、マネキン保持部１１５が貫通軸部１１１に対して回転することを防止することができる。
【００５８】
また、上述の各実施の形態では、雄ネジ部１１４と基台１１６とが別体となっており、雄ネジ部１１４が溶接、ネジ留め、接着等により基台１１６に固定される構成を例示したが、結果として雄ネジ部１１４が基台１１６に対して固定されていれば、これに限られるものではない。すなわち、雄ネジ部１１４と基台１１６とを、同一の材料によって一体成型してもよい。
【００５９】
また、上述の実施の形態において、非挿通軸部と雄ネジ部との間、貫通軸部１１１と非挿通軸部２１２との間で、ネジ結合する構成を例示したが、雄ネジおよび雌ネジの配置は、上述した例に限られるものではなく、当該ネジ結合における雄ネジを雌ネジとし、雌ネジを雄ネジとする逆の構成とすることによりネジ結合を実現することもできることは言うまでもない。
【００６０】
また、上述の各実施の形態では、支持対象となるマネキン本体が、人体のどの部位に相当する形状のものであるかについて限定していないが、必要に応じて、人体の全身、上半身、下半身、腕、脚、頭部等の部位を模したさまざまな形状とすることができることは言うまでもない。
【００６１】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００６２】
１：マネキン支持装置
２：マネキン
１００：マネキン支持軸
１１１：貫通軸部
１１１Ｍ：雄ネジ
１１２：非挿通軸部
１１２Ｆ：雌ネジ
１１２Ｒ：螺合部
１１２Ｕ：上端面
１１３：ナット部材
１１３ａ：フランジ部
１１３Ｆ：内周ネジ部
１１３Ｋ：貫通孔部
１１３Ｌ：下面
１１４：雄ネジ部
１１４Ｈ：被螺合部
１１４Ｍ：外周ネジ部
１１４Ｔ：突起部
１１５：マネキン保持部
１１６：基台
１１７：締め付け機構
１１８：延設部
１００’：マネキン支持軸
２１２Ｋ：係合部
２１４Ｈ：被係合部
【図１】
2011115278.tif 000003
【図２】
2011115278.tif 000004
【図３】
2011115278.tif 000005
【図４】
2011115278.tif 000006
【図５】
2011115278.tif 000007
【図６】
2011115278.tif 000008
【図７】
2011115278.tif 000009
【図８】
2011115278.tif 000010
【図９】
2011115278.tif 000011